(57)【要約】【課題】ユーザーの利便性を向上させることが可能なデータ処理装置を提供する。【解決手段】このデータ処理装置は、データファイルの処理に関する設定値と設定値記号とを対応付けた設定値情報ＳＤを記憶する記憶部１１３と、処理指示を受けたデータファイルのファイル名に含まれる設定値記号と設定値情報ＳＤとを照合し、現時点の設定値を設定値記号に対応する設定値に設定するとともに、その設定後の設定値に基づき処理指示を受けたデータファイルの処理を行う主制御部１１０と、を備えている。【選択図】図１０
2013059969.tif 000002
【特許請求の範囲】
【請求項１】
データファイルの処理に関する設定値と設定値記号とを対応付けた設定値情報を記憶するとともに、現時点の設定値を記憶する記憶部と、
処理指示を受けたデータファイルのファイル名に含まれる前記設定値記号と前記設定値情報とを照合し、前記データファイルの処理に関する設定値を、前記処理指示を受けたデータファイルのファイル名に含まれる前記設定値記号に対応する設定値に設定するとともに、設定後の設定値に基づき前記処理指示を受けたデータファイルの処理を行う処理部と、を備えていることを特徴とするデータ処理装置。
【請求項２】
前記設定後の設定値を表示する操作表示部をさらに備えることを特徴とする請求項１に記載のデータ処理装置。
【請求項３】
前記操作表示部は、前記設定後の設定値に基づく処理を許可するか否かを受け付け、
前記処理部は、前記設定後の設定値に基づく処理を許可する旨を前記操作表示部が受け付けた場合に、前記設定後の設定値に基づき前記処理指示を受けたデータファイルの処理を行うことを特徴とする請求項２に記載のデータ処理装置。
【請求項４】
前記操作表示部は、前記設定後の設定値の追加設定指示を受け付け、
前記処理部は、前記設定後の設定値の追加設定指示を前記操作表示部が受け付ければ、前記設定後の設定値を、前記操作表示部が受け付けた追加設定指示に応じて再度設定することを特徴とする請求項２または３に記載のデータ処理装置。
【請求項５】
印刷部をさらに備え、
前記処理部は、前記設定後の設定値に基づいて、前記処理指示を受けたデータファイルの印刷処理を前記印刷部に行わせることを特徴とする請求項１〜４のいずれかに記載のデータ処理装置。
【請求項６】
外部メモリーに接続される接続部をさらに備え、
前記処理部は、前記接続部に前記外部メモリーが接続され、前記外部メモリーに記憶されたデータファイルの処理指示を受けたとき、前記外部メモリーに記憶されたデータファイルのファイル名に含まれる前記設定値記号に応じた設定値で、前記外部メモリーに記憶されたデータファイルの印刷処理を前記印刷部に行わせることを特徴とする請求項５に記載のデータ処理装置。
【請求項７】
データ処理装置によって処理されるデータファイルであって、
前記データ処理装置が行う処理に関する設定値に対応付けられた設定値記号を含むファイル名を有し、
前記データ処理装置による処理に際して、前記データ処理装置が行う処理に関する設定値を、前記ファイル名に含まれる前記設定値記号に対応する設定値に設定させ、設定後の設定値に基づき処理を行わせることを特徴とするデータファイル。
【発明の詳細な説明】
【技術分野】
【０００１】
本発明は、データ処理装置およびデータファイルに関する。
【背景技術】
【０００２】
画像形成装置をプリンタとして利用するユーザーは、画像データを画像形成装置に転送し、画像形成装置に印刷処理を行わせる。たとえば、ユーザーは、ＵＳＢメモリーなどの外部メモリーを画像形成装置に装着し、外部メモリーに記憶された画像データの印刷処理を画像形成装置に行わせる。あるいは、ユーザーは、パーソナルコンピューターから転送した画像データの印刷処理を画像形成装置に行わせる。
【０００３】
この際、ユーザーは、自身の所望する設定値で印刷処理が行われるように、現時点の設定値（たとえば、デフォルトの設定値、または、従前に別のユーザーによって設定された設定値）を変更する。したがって、画像形成装置には、設定値の設定指示をユーザーから受け付けるための操作パネルが設けられているのが一般的である。操作パネルが設けられた画像形成装置は、たとえば、特許文献１に開示されている。
【０００４】
これにより、ユーザーは、操作パネルに対して入力操作を行うことによって、設定値の設定を行うことができる。なお、設定値の設定は、パーソナルコンピューターからでも行うことができる。
【先行技術文献】
【特許文献】
【０００５】
【特許文献１】特開２００６−１１９１７６号公報
【発明の概要】
【発明が解決しようとする課題】
【０００６】
ところで、印刷処理に関して言えば、設定値の設定が可能な設定項目は、用紙サイズ、片面／両面、モノクロ／カラー、縮小／拡大、濃度、および、ページ集約など多数ある。したがって、ユーザーは、画像形成装置に印刷処理を行わせる際、複数の設定項目から必要な設定項目を抽出した後、抽出した設定項目の現時点の設定値を確認し、さらに、現時点の設定値が自身の所望する設定値になっていなければ設定変更する、という一連の動作を行わなければならない。このため、ユーザーからすると、画像形成装置による印刷処理の際に、操作パネルやパーソナルコンピューターに対して数多くの入力操作を行わなければならないので、利便性が悪い。
【０００７】
本発明は、上記課題を解決するためになされたものであり、ユーザーの利便性を向上させる（ユーザーが行う操作を減らす）ことが可能なデータ処理装置およびデータファイルを提供することを目的とする。
【課題を解決するための手段】
【０００８】
上記目的を達成するために、本発明のデータ処理装置は、データファイルの処理に関する設定値と設定値記号とを対応付けた設定値情報を記憶するとともに、現時点の設定値を記憶する記憶部と、処理指示を受けたデータファイルのファイル名に含まれる設定値記号と設定値情報とを照合し、データファイルの処理に関する設定値を、処理指示を受けたデータファイルのファイル名に含まれる設定値記号に対応する設定値に設定するとともに、その設定後の設定値に基づき処理指示を受けたデータファイルの処理を行う処理部と、を備えている。
【０００９】
本発明のデータ処理装置によると、処理部は、処理指示を受けたデータファイルのファイル名に設定値記号が含まれていれば、自動的に、データファイルの処理に関する設定値を設定値記号に対応する設定値に設定する。このため、ユーザーからすると、自身の所望する設定値に対応付けられた設定値記号をファイル名に予め盛り込んでおくだけで（設定値を設定するための操作を行うことなく）、自身の所望する設定値でデータファイルの処理が行われるので、利便性が良い。すなわち、本発明のデータ処理装置では、ユーザーの利便性を向上させる（ユーザーが行う操作を減らす）ことができる。
【００１０】
上記の構成において、設定後の設定値を表示する操作表示部をさらに備えることが好ましい。このように構成すれば、ユーザーからすると、設定内容を容易に確認することができるので、利便性が良い。
【００１１】
上記の構成において、好ましくは、操作表示部は、設定後の設定値に基づく処理を許可するか否かを受け付け、処理部は、設定後の設定値に基づく処理を許可する旨を操作表示部が受け付けた場合に、設定後の設定値に基づき処理指示を受けたデータファイルの処理を行う。すなわち、この構成では、データファイルの処理に関する設定値を設定値記号に対応する設定値に設定した後、その設定後の設定値で強制的にデータファイルの処理を行うわけではない。このため、ユーザーからすると、設定後の設定値に不備などがあった場合に、設定後の設定値に基づくデータファイルの処理を止めることができるので、利便性が良い。
【００１２】
上記の構成において、好ましくは、操作表示部は、設定後の設定値の追加設定指示を受け付け、処理部は、設定後の設定値の追加設定指示を操作表示部が受け付ければ、設定後の設定値を、操作表示部が受け付けた追加設定指示に応じて再度設定する。このように構成すれば、設定後の設定値の追加設定を所望するユーザーからすると、利便性が良い。
【００１３】
上記の構成において、好ましくは、印刷部をさらに備え、処理部は、設定後の設定値に基づいて、処理指示を受けたデータファイルの印刷処理を印刷部に行わせる。このように構成すれば、印刷部を備えるデータ処理装置による印刷処理に際して、ユーザーの利便性を向上させる（ユーザーが行う操作を減らす）ことができる。
【００１４】
上記の構成において、好ましくは、外部メモリーに接続される接続部をさらに備え、処理部は、接続部に外部メモリーが接続され、外部メモリーに記憶されたデータファイルの処理指示を受けたとき、外部メモリーに記憶されたデータファイルのファイル名に含まれる設定値記号に応じた設定値で、外部メモリーに記憶されたデータファイルの印刷処理を印刷部に行わせる。このように構成すれば、ＵＳＢメモリーのような外部メモリーの接続部への装着により印刷処理を開始するダイレクトプリントにおいて、設定値を設定するための操作をユーザーに行ってもらう必要がなくなる。したがって、ダイレクトプリントを所望するユーザーからすると、利便性が非常に良い。
【００１５】
また、本発明のデータファイルは、データ処理装置によって処理されるデータファイルであって、データ処理装置が行う処理に関する設定値に対応付けられた設定値記号を含むファイル名を有し、データ処理装置による処理に際して、データ処理装置が行う処理に関する設定値を、ファイル名に含まれる設定値記号に対応する設定値に設定させ、設定後の設定値に基づき処理を行わせる。これにより、ユーザーからすると、自身の所望する設定値に対応付けられた設定値記号をファイル名に予め盛り込んでおくだけで（設定値を設定するための操作を行うことなく）、自身の所望する設定値でデータファイルの処理が行われるので、利便性が良い。
【発明の効果】
【００１６】
以上のように、本発明によれば、ユーザーの利便性を向上させる（ユーザーが行う操作を減らす）ことが可能なデータ処理装置およびデータファイルを容易に得ることができる。
【図面の簡単な説明】
【００１７】
【図１】本発明の一実施形態による画像形成装置の全体構成図
【図２】図１に示した画像形成装置の操作パネル（操作表示部）の平面図
【図３】図１に示した画像形成装置の画像形成部を示した概略図
【図４】図１に示した画像形成装置のハードウェア構成を示したブロック図
【図５】図１に示した画像形成装置の記憶部に記憶される設定値情報の概略を説明するための図
【図６】図１に示した画像形成装置の操作パネルに表示される画面（ファイル名が表示されたときの画面）の一例を示した図
【図７】図１に示した画像形成装置の操作パネルに表示される画面（設定後の設定値が表示されたときの画面）の一例を示した図
【図８】図１に示した画像形成装置の操作パネルに表示される画面（設定後の設定値が表示されたときの画面）の一例を示した図
【図９】図１に示した画像形成装置の操作パネルに表示される画面（設定後の設定値の追加設定指示を受け付けるときの画面）の一例を示した図
【図１０】図１に示した画像形成装置が画像データの印刷処理を行うときの動作を説明するためのフローチャート
【発明を実施するための形態】
【００１８】
まず、図１〜図３を参照して、本発明のデータ処理装置の一実施形態による画像形成装置１００の全体構成について説明する。
【００１９】
本実施形態の画像形成装置１００は、たとえば、図１に示すようなタンデム方式のカラー複合機であり、コピー、プリンタ、スキャナおよびファックスなどの複数種のジョブを実行することができる。また、この画像形成装置１００は、操作パネル１０１、画像読取部１０２、給紙部１０３、搬送路１０４、画像形成部１０５、中間転写部１０６、定着部１０７および両面搬送路１０８などを備える。なお、給紙部１０３、搬送路１０４、画像形成部１０５、中間転写部１０６、定着部１０７および両面搬送路１０８を含む機構部は、画像データに応じた画像を用紙Ｐに印刷して出力する印刷部１０９である。
【００２０】
操作パネル１０１は、操作表示部に相当し、たとえば、図１中の破線で示された箇所に配置される。この操作パネル１０１には、図２に示すように、液晶表示部１１が設けられている。液晶表示部１１には、各種設定などを行うためのメニューおよび設定キー（ソフトキー）が表示されるとともに、装置状態などを示すメッセージも表示される。そして、ユーザーは、液晶表示部１１に表示された設定キーを押下することで、各種設定などを行うことができる。なお、液晶表示部１１は、その表示面がタッチパネルで覆われた形態をとる。これにより、液晶表示部１１に表示された設定キーがユーザーによって押下されたとき（タッチパネルが押下されたとき）、タッチパネルの出力に基づいて押下位置の座標を検出できるようになっている。
【００２１】
また、操作パネル１０１には、テンキー１２やスタートキー１３などのハードキーが設けられている。テンキー１２は、数値入力が必要な設定指示をユーザーから受け付けるためのハードキーである。スタートキー１３は、各種ジョブの実行開始の指示をユーザーから受け付けるためのハードキーである。
【００２２】
さらに、操作パネル１０１には、ハードキーとして、コピーキー１４、送信キー１５およびボックスキー１６なども設けられている。そして、コピーキー１４をユーザーが押下すると、コピージョブの設定値を入力する上で必要な設定キーなどが液晶表示部１１に表示される。送信キー１５をユーザーが押下すると、スキャナジョブおよびファックスジョブの設定値を入力する上で必要な設定キーなどが液晶表示部１１に表示される。ボックスキー１６をユーザーが押下すると、ボックス（たとえば、後述する記憶部１１３に設けられた保存領域）を利用する上で必要な設定キーなどが液晶表示部１１に表示される。
【００２３】
図１に戻って、画像読取部１０２は、原稿を読み取り、原稿の画像データを形成する。画像読取部１０２には、図示しないが、露光ランプ、ミラー、レンズおよびイメージセンサーなどの光学系部材が設けられている。この画像読取部１０２は、コンタクトガラス２１に載置される原稿に光を照射し、反射光を受けたイメージセンサーの出力値をＡ／Ｄ変換した後、Ａ／Ｄ変換後のデータに対して各種補正を施すことによって、画像データを生成する。これにより、画像読取部１０２による原稿の読み取り動作によって得られた画像データに基づき印刷を行うことができる。また、画像読取部１０２による原稿の読み取り動作によって得られた画像データを蓄積することもできる。なお、画像読取部１０２による原稿の読み取り時には、コンタクトガラス２１に載置された原稿を原稿カバー２２で押えることができる。
【００２４】
給紙部１０３は、用紙Ｐを収容するカセット３１を複数有し、それら複数のカセット３１に収容された用紙Ｐを搬送路１０４に供給する。また、この給紙部１０３には、用紙Ｐを引き出すピックアップローラー３２や、用紙Ｐの重送を抑制するための分離ローラー対３３などが設けられている。
【００２５】
搬送路１０４は、装置内部において用紙Ｐを搬送する。具体的に言うと、給紙部１０３から供給された用紙Ｐは、搬送路１０４によって、中間転写部１０６および定着部１０７をこの順番で通過して排出トレイ４１に導かれる。この搬送路１０４には、用紙Ｐを中間転写部１０６の手前で待機させ、タイミングを合わせて中間転写部１０６に送り出すレジストローラー対４２などが設けられている。
【００２６】
画像形成部１０５は、画像データに基づいてトナー像を形成するものであって、４色分の画像形成部５０（ブラックのトナー像を形成する画像形成部５０Ｂｋ、イエローのトナー像を形成する画像形成部５０Ｙ、シアンのトナー像を形成する画像形成部５０Ｃ、および、マゼンダのトナー像を形成する画像形成部５０Ｍ）と、露光装置５とを備えている。なお、画像形成部５０Ｂｋ、５０Ｙ、５０Ｃおよび５０Ｍは、互いに異なる色のトナー像を形成するが、いずれも基本的に同様の構成である。したがって、以下の説明では、各色を表す符号（Ｂｋ、Ｙ、ＣおよびＭ）を省略する。
【００２７】
各画像形成部５０のそれぞれは、図３に示すように、感光体ドラム１、帯電装置２、現像装置３および清掃装置４を含んでいる。
【００２８】
各感光体ドラム１は、外周面にトナー像を担持するものであって、外周面に感光層を有するとともに、周方向に回転可能に支持されている。各帯電装置２は、対応する感光体ドラム１を一定の電位で帯電させる。各現像装置３は、対応する色の現像剤を収容し、対応する感光体ドラム１にトナーを供給する。各清掃装置４は、対応する感光体ドラム１の清掃を行う。そして、露光装置５は、各感光体ドラム１の外周面に対して露光走査を行うことによって、各感光体ドラム１の外周面に静電潜像を形成する。
【００２９】
露光装置５は、図示しないが、半導体レーザー素子、ポリゴンミラー、ポリゴンモーター、Ｆθレンズおよび反射ミラーなどを含む。そして、これら露光装置５の構成部材は、各色の画像形成部５０に対して１セットずつ設けられていてもよい。あるいは、半導体レーザー素子、Ｆθレンズおよび反射ミラーのみを各色の画像形成部５０に対して１セットずつ設け、ポリゴンミラーおよびポリゴンモーターについては２色分（または、４色分）の画像形成部５０で共用してもよい。
【００３０】
図１に戻って、中間転写部１０６は、画像形成部１０５からトナー像の１次転写を受けた後、用紙Ｐに２次転写を行う。中間転写部１０６は、中間転写ベルト６１と、各画像形成部５０にそれぞれ割り当てられた１次転写ローラー６２Ｂｋ、６２Ｙ、６２Ｃおよび６２Ｍとを少なくとも含んでいる。１次転写ローラー６２Ｂｋ、６２Ｙ、６２Ｃおよび６２Ｍは、対応する画像形成部５０（具体的には、感光体ドラム１）との間で中間転写ベルト６１を挟み込んでいるとともに、転写用電圧（転写バイアス）が印加されるようになっている。
【００３１】
また、中間転写部１０６は、駆動ローラー６３および従動ローラー６４も含んでいる。そして、駆動ローラー６３および従動ローラー６４は、１次転写ローラー６２Ｂｋ、６２Ｙ、６２Ｃおよび６２Ｍと共に、中間転写ベルト６１を張架している。このため、駆動ローラー６３が回転駆動すると、中間転写ベルト６１が循環移動する。
【００３２】
さらに、中間転写部１０６は、２次転写ローラー６５も含んでいる。この２次転写ローラー６５は、駆動ローラー６３との間で中間転写ベルト６１を挟み込んでいるとともに、転写用電圧（転写バイアス）が印加されるようになっている。
【００３３】
そして、各画像形成部５０で形成されたトナー像は、転写用電圧が印加された１次転写ローラー６２Ｂｋ、６２Ｙ、６２Ｃおよび６２Ｍにより、順次ずれなく重畳して中間転写ベルト６１に１次転写される。すなわち、中間転写ベルト６１にフルカラートナー像が転写される。その後、中間転写ベルト６１に１次転写されたトナー像は、転写用電圧が印加された２次転写ローラー６５により、用紙Ｐに２次転写される。
【００３４】
また、中間転写部１０６は、ベルト清掃装置６６も含んでいる。そして、このベルト清掃装置６６によって、中間転写ベルト６１から用紙Ｐへのトナー像の２次転写の後、中間転写ベルト６１の清掃が行われる。
【００３５】
定着部１０７は、用紙Ｐに２次転写されたトナー像を加熱・加圧して定着させる。この定着部１０７は、発熱源を内蔵する定着ローラー７１と、定着ローラー７１に圧接される加圧ローラー７２とを含んでいる。そして、トナー像が２次転写された用紙Ｐは、定着ローラー７１と加圧ローラー７２との間を通過することにより、加熱・加圧される。これにより、用紙Ｐにトナー像が定着される。
【００３６】
そして、用紙Ｐは、定着部１０７を通過した後、排出トレイ４１に排出される。これによって、印刷処理が完了する。
【００３７】
また、両面搬送路１０８は、両面印刷を可能とするものである。この両面搬送路１０８は、定着ローラー７１および加圧ローラー７２の下流側おいて搬送路１０４と分岐し、レジストローラー対４２の上流側において搬送路１０４と合流している。そして、両面搬送路１０８には、搬送路１０４との分岐点に配置された切替爪８１、排出トレイ４１に繋がる排出口４１ａに配置されているとともに正逆回転の切り換えが可能な排出ローラー対８２、および、用紙Ｐを搬送する搬送ローラー対８３などが設けられている。
【００３８】
両面印刷を行う場合、切替爪８１は、両面搬送路１０８を閉じるポジションとなり、定着部１０７から送られた用紙Ｐを排出トレイ４１に導く。また、排出ローラー対８２は、ひとまず正回転して用紙Ｐの一部分を排出トレイ４１に排出する。この後、排出ローラー対８２は、用紙Ｐが排出ローラー対８２を通過しきる前に逆回転する。このとき、切替爪８１は、両面搬送路１０８を開く方向に回動する。これにより、片面印刷された用紙Ｐは、両面搬送路１０８に導かれる。
【００３９】
両面搬送路１０８に導かれた用紙Ｐは、搬送ローラー対８３により搬送され、レジストローラー対４２の上流側に至る。そして、再び、中間転写部１０６から定着部１０７へと送られる。このときには、用紙Ｐの表裏が逆転しているので、用紙Ｐの裏面（未印刷面）に対して、２次転写処理および定着処理がなされる。そして、両面印刷が終わった用紙Ｐは、排出トレイ４１に排出される。
【００４０】
次に、図４を参照して、画像形成装置１００のハードウェア構成について説明する。
【００４１】
画像形成装置１００は、主制御部１１０を有する。この主制御部１１０は、中央演算処理装置であるＣＰＵ１１１や画像処理部１１２などを含む。また、主制御部１１０は、操作パネル１０１、画像読取部１０２および印刷部１０９（給紙部１０３、搬送路１０４、画像形成部１０５、中間転写部１０６、定着部１０７および両面搬送路１０８）などと接続されている。そして、主制御部１１０は、記憶部１１３に記憶された各種のプログラムおよびデータに基づき、各部の制御や演算などを行う。なお、主制御部１１０は、全体制御や画像処理を行うメイン制御部と、画像形成や各種回転体を回転させるモーターのオン／オフを制御するエンジン制御部とに分割されていてもよい。
【００４２】
記憶部１１３は、ＲＯＭ１１３ａ、ＲＡＭ１１３ｂおよびＨＤＤ１１３ｃなどの揮発性の記憶装置と不揮発性の記憶装置とを含む。そして、各種のプログラムおよびデータは、たとえば、ＲＯＭ１１３ａに記憶され、ＲＡＭ１１３ｂに展開される。
【００４３】
なお、主制御部１１０は「処理部」に相当し、その主制御部１１０と記憶部１１３とによってデータ処理装置が構成される。
【００４４】
主制御部１１０に接続される操作パネル１０１は、表示制御部１７を有する。表示制御部１７は、ＣＰＵやＩＣなどからなり、液晶表示部１１の表示動作を制御する。具体的には、表示制御部１７は、ユーザーが操作パネル１０１に対して行った入力操作に基づき、記憶部１８（あるいは、記憶部１１３）に格納された情報を読み出し、適切な画面を液晶表示部１１に表示させる。たとえば、ユーザーがコピーキー１４などのジョブ選択キーを押下すると、表示制御部１７は、ユーザーによるジョブ選択キーの押下操作を受けて、選択されたジョブの設定値の入力をユーザーから受け付けるための画面（種々の設定キーやメッセージなどが配された画面）を表示する。なお、この画面を液晶表示部１１に表示させるための画面情報は、たとえば、記憶部１８（あるいは、記憶部１１３）に記憶されている。
【００４５】
そして、表示制御部１７は、液晶表示部１１（タッチパネル）に表示された設定キーがユーザーによって押下されたとき、タッチパネルの出力を受けて押下位置の座標を特定する。これによって、液晶表示部１１に対するユーザーの押下位置（ユーザーが押下した設定キー）が特定される。たとえば、タッチパネルの出力と押下位置の座標との対応を示すテーブルなどのデータは、記憶部１８（あるいは、記憶部１１３）に記憶される。
【００４６】
液晶表示部１１に表示された設定キーをユーザーが押下すると、表示制御部１７は、ユーザーによって押下された設定キーを特定し、その結果を主制御部１１０に出力する。そして、主制御部１１０は、ユーザーが押下した設定キーに応じて設定値を設定する。この後、表示制御部１７は、ソフトキーとしてのスタートキーを液晶表示部１１に表示させる。これにより、ユーザーは、液晶表示部１１に表示されたスタートキーを押下することによって、自身の所望する設定値でジョブを実行させることができる。あるいは、ハードキーとしてのスタートキー１３をユーザーが押下した場合にも、ジョブが実行される。
【００４７】
また、主制御部１１０は、通信部１１４と接続される。通信部１１４は、たとえば、外部のパーソナルコンピューター２００とネットワーク（あるいは、ケーブル）を介して通信可能に接続される。このため、パーソナルコンピューター２００から送信された画像データに基づき印刷を行うことができる。また、画像読取部１０２による原稿の読み取り動作によって得られた画像データをパーソナルコンピューター２００に送信することもできる。なお、通信部１１４にモデムなどを内蔵してもよく、この場合、電話回線などのネットワークを介して、外部のファックス装置３００とファックス通信を行うことができる。
【００４８】
さらに、主制御部１１０は、外部メモリー４００（たとえば、ＵＳＢメモリーなど）の装着が可能な接続部１１５と接続される。このため、外部メモリー４００に記憶された画像データに基づき印刷を行うことができる。また、画像読取部１０２による原稿の読み取り動作によって得られた画像データを外部メモリー４００に蓄積することもできる。
【００４９】
ここで、たとえば、画像データが記憶された外部メモリー４００の接続部１１５への装着をユーザーが行ったとする。言い換えると、ユーザーは、外部メモリー４００に記憶させた画像データを画像形成装置１００で印刷処理しようとしている。
【００５０】
この場合、主制御部１１０は、外部メモリー４００が接続部１１５に装着されたことを認識すると、画像データに付されたファイル名を操作パネル１０１に表示させる。なお、操作パネル１０１は、外部メモリー４００に記憶された画像データが複数有れば、複数の画像データにそれぞれ付された複数のファイル名を表示する。このときに操作パネル１０１が表示する画面は、印刷処理する画像データをユーザーに選択してもらうための選択画面である。たとえば、ユーザーは、所望の画像データを選択する際、所望の画像データに付したファイル名を押下する。
【００５１】
そして、ユーザーによる押下操作を受けて、操作パネル１０１は、印刷処理に関する設定値の入力をユーザーに行ってもらうための設定キーを表示する。設定キーには、たとえば、「用紙サイズ」、「片面印刷／両面印刷」および「画質」などの設定項目名が付されている。ここでは、一例として、３つの設定項目のみを挙げているが、設定値の設定が可能な設定項目は他にも多数ある。
【００５２】
なお、「用紙サイズ」という設定キーでは、用紙サイズ（Ａ４サイズ、Ｂ５サイズおよびレターサイズなど）を設定することができる。また、「片面印刷／両面印刷」という設定キーでは、片面印刷するか両面印刷するかを設定することができる。また、「画質」という設定キーでは、モノクロ印刷するかカラー印刷するかを設定することができる。
【００５３】
ここで、通常では、各設定項目の現時点の設定値は、電源投入直後であれば、デフォルトの設定値となっている。あるいは、従前に別のユーザーが使用していれば、その別のユーザーによって設定された設定値になっている（ただし、別のユーザーが設定値をリセットしていれば、デフォルトの設定値となっている）。したがって、ユーザーからすると、各設定項目の現時点の設置値を確認し、必要であれば設定値を設定しなければならないので、煩わしい。
【００５４】
そこで、本実施形態では、記憶部１１３は、印刷処理に関する設定値と設定値記号とを対応付けた設定値情報ＳＤ（図５参照）を記憶する。そして、主制御部１１０は、印刷処理の実行指示をユーザーから受け付けたとき、処理指示を受けた画像データのファイル名に含まれる設定値記号と設定値情報ＳＤとを照合し、印刷処理に関する現時点の設定値を、処理指示を受けた画像データのファイル名に含まれる設定値記号に対応する設定値に設定するとともに、設定後の設定値に基づいた印刷処理を印刷部１０９に行わせる。
【００５５】
印刷処理に関する設定値と設定値記号とを対応付けた設定値情報ＳＤとしては、図５に示すようなテーブルが考えられる。以下に、「用紙サイズ」、「片面印刷／両面印刷」および「画質」を例にとって説明する。
【００５６】
図５に示すように、用紙サイズという設定項目では、設定可能な設定値として、Ａ４サイズ、Ｂ５サイズおよびレターサイズがある。このため、Ａ４サイズを「Ａ４」という設定値記号と対応付けるとともに、Ｂ５サイズを「Ｂ５」という設定値記号と対応付け、さらに、レターサイズを「ＬＴＲ」という設定値記号と対応付ける。これにより、主制御部１１０は、たとえば、ファイル名に「Ａ４」という設定値記号が含まれていれば、現時点の設定値をＡ４サイズに設定する。
【００５７】
また、片面印刷／両面印刷という設定項目では、設定可能な設定値として、片面印刷および両面印刷がある。このため、片面印刷を「Ｓ」という設定値記号と対応付けるとともに、両面印刷を「Ｄ」という設定値記号と対応付ける。これにより、主制御部１１０は、たとえば、ファイル名に「Ｓ」という記号が含まれていれば、現時点の設定値を両面印刷に設定する。
【００５８】
また、画質という設定項目では、設定可能な設定値として、モノクロおよびカラーがある。このため、モノクロを「Ｍ」という設定値記号と対応付けるとともに、カラーを「Ｃ」という設定値記号と対応付ける。これにより、主制御部１１０は、たとえば、ファイル名に「Ｍ」という記号が含まれていれば、現時点の設定値をモノクロに設定する。
【００５９】
また、図示しないが、他の設定項目についても、何らかの設定値記号と設定値とを対応付けておけば良い。
【００６０】
なお、設定値を設定するための設定値記号をファイル名に盛り込む場合には、ユーザーが任意に決定する画像データの識別名と区別するため、画像データの識別名と設定値記号とを「＄」で区切る。たとえば、Ａ４用紙の両面にモノクロ印刷する場合には、「＄Ａ４＄Ｄ＄Ｍ＄○○○．△△△」というファイル名にしておけば良い。このファイル名において、「○○○」は、画像データの識別名であり、「△△△」は、拡張子である。
【００６１】
また、本実施形態では、操作パネル１０１は、主制御部１１０が設定した設定値を表示し、かつ、その設定後の設定値に基づく印刷処理を許可するか否かをユーザーから受け付ける。そして、主制御部１１０は、設定後の設定値に基づく印刷処理を許可する旨を操作パネル１０１が受け付けた場合に、設定後の設定値に基づいて、処理指示を受けた画像データの印刷処理を印刷部１０９に行わせる。
【００６２】
具体的には、操作パネル１０１は、まず、図６に示すように、印刷処理する画像データをユーザーに選択してもらうための選択画面Ｓ１を表示する（画像データに付されたファイル名を表示する）。
【００６３】
たとえば、外部メモリー４００に画像データが記憶されているとすると、操作パネル１０１は、ユーザーが外部メモリー４００を接続部１１５に装着し、その外部メモリー４００を主制御部１１０が認識したとき、選択画面Ｓ１を表示する。続いて、この選択画面Ｓ１内のファイル名をユーザーが押下（選択）すると、主制御部１１０は、外部メモリー４００に記憶された画像データを印刷処理するジョブ（たとえば、ダイレクトプリントなどと称されるジョブ）の実行指示をユーザーから受け付けたと判断する。
【００６４】
なお、画像データは、パーソナルコンピューター２００から送信される場合もあるし、記憶部１１３のボックスと称される保存領域に格納されている場合もある。
【００６５】
ここで、図６に示した選択画面Ｓ１には、２つのファイル名が表示されている。一方のファイル名は、「＄Ａ４＄Ｄ＄Ｍ＄ＫＹＯＣＥＲＡ１」となっており、他方のファイル名は、「＄Ａ４＄Ｓ＄Ｃ＄ＫＹＯＣＥＲＡ２」となっている。すなわち、「＄Ａ４＄Ｄ＄Ｍ＄ＫＹＯＣＥＲＡ１」には、Ａ４用紙の両面にモノクロ印刷するための設定値記号が含まれ、「＄Ａ４＄Ｓ＄Ｃ＄ＫＹＯＣＥＲＡ２」には、Ａ４用紙の片面にカラー印刷するための設定値記号が含まれている。
【００６６】
したがって、主制御部１１０は、選択画面Ｓ１においてユーザーが「＄Ａ４＄Ｄ＄Ｍ＄ＫＹＯＣＥＲＡ１」を選択すれば、用紙サイズの設定を「Ａ４サイズ」に設定し、片面印刷／両面印刷の設定を「両面印刷」に設定し、画質の設定を「モノクロ」に設定する。その一方、主制御部１１０は、選択画面Ｓ１においてユーザーが「＄Ａ４＄Ｓ＄Ｃ＄ＫＹＯＣＥＲＡ２」を選択すれば、用紙サイズの設定を「Ａ４サイズ」に設定し、片面印刷／両面印刷の設定を「片面印刷」に設定し、画質の設定を「カラー」に設定する。
【００６７】
また、操作パネル１０１は、主制御部１１０が設定値の設定を行うと、設定後の設定値（処理指示を受けた画像データのファイル名に含まれる設定値記号に対応する設定値）をユーザーに確認してもらうための設定値画面Ｓ２（図７および図８参照）を表示する。たとえば、操作パネル１０１は、選択画面Ｓ１においてユーザーが「＄Ａ４＄Ｄ＄Ｍ＄ＫＹＯＣＥＲＡ１」を選択した場合には、図７に示すような設定値画面Ｓ２１を表示し、選択画面Ｓ１においてユーザーが「＄Ａ４＄Ｓ＄Ｃ＄ＫＹＯＣＥＲＡ２」を選択した場合には、図８に示すような設定値画面Ｓ２２を表示する。
【００６８】
また、この設定値画面Ｓ２は、設定後の設定値（処理指示を受けた画像データのファイル名に含まれる設定値記号に対応する設定値）に基づく印刷処理を許可するか否かをユーザーから受け付けるようになっている。すなわち、設定値画面Ｓ２の「印刷」キーＫ１をユーザーが押下すると、主制御部１１０は、設定後の設定値に基づいて、印刷部１０９に印刷処理を行わせる。なお、主制御部１１０は、選択画面Ｓ１の「印刷」キーＫ１をユーザーが押下した場合には、設定値画面Ｓ２を操作パネル１０１に表示させることなく、設定後の設定値に基づいて、印刷部１０９に印刷処理を行わせる。
【００６９】
さらに、設定値画面Ｓ２は、設定後の設定値（処理指示を受けたファイル名に含まれる設定値記号に対応する設定値）の追加設定指示をユーザーから受け付けるようにもなっている。たとえば、設定値画面Ｓ２においてユーザーが「用紙サイズ」を押下すると、操作パネル１０１は、図９に示すように、用紙サイズの設定値についての追加設定指示をユーザーから受け付けるための設定値設定画面Ｓ３を表示する。
【００７０】
この設定値設定画面Ｓ３には、設定可能な設定値を付した設定キーＣＫが設けられている。たとえば、主制御部１１０は、「Ｂ５サイズ」という設定キーＣＫがユーザーによって押下された場合には、用紙サイズの設定をＢ５サイズに設定し、「レターサイズ」という設定キーＣＫがユーザーによって押下された場合には、用紙サイズの設定をレターサイズに設定する。
【００７１】
そして、設定値設定画面Ｓ３の「ＯＫ」キーＫ２がユーザーによって押下されると、操作パネル１０１は、表示画面を設定値画面Ｓ２に戻す。このとき、操作パネル１０１は、設定値設定画面Ｓ３においてユーザーが行った設定値の設定に基づき、表示する設定値を変更する。たとえば、設定値設定画面Ｓ３において、ユーザーが用紙サイズの設定をＢ５サイズに設定したとする。この場合、操作パネル１０１は、図示しないが、用紙サイズの設定値の表示を「Ａ４」から「Ｂ５」に設定する。その後、設定値画面Ｓ２の「印刷」キーＫ１をユーザーが押下すると、主制御部１１０は、ユーザーからの追加設定指示によって再度設定した設定値に基づいて、印刷部１０９に印刷処理を行わせる。
【００７２】
次に、図１０を参照して、画像形成装置１００の印刷動作について説明する。
【００７３】
まず、図１０のフローのスタート時点では、たとえば、ユーザーが外部メモリー４００を装着部１１５に装着し、主制御部１１０が外部メモリー４００を認識しているとする。したがって、この時点では、操作パネル１０１は、印刷処理する画像データをユーザーに選択してもらうための選択画面Ｓ１（図６参照）を表示している。そして、この選択画面Ｓ１内のファイル名をユーザーが押下（選択）したとき、すなわち、外部メモリー４００に記憶された画像データを印刷処理するジョブの実行指示をユーザーが行ったとき、図１０のフローがスタートする。
【００７４】
ステップＳ１において、主制御部１１０は、処理指示を受けた画像データのファイル名を識別する。続いて、ステップＳ２において、主制御部１１０は、処理指示を受けた画像データのファイル名に設定値記号が含まれているか否かを判別する。そして、処理指示を受けた画像データのファイル名に設定値記号が含まれていれば、ステップＳ３に移行し、処理指示を受けた画像データのファイル名に設定値記号が含まれていなければ、ステップＳ９に移行する。
【００７５】
ステップＳ３に移行すると、主制御部１１０は、処理指示を受けた画像データのファイル名に含まれる設定値記号と設定値情報ＳＤ（図５参照）とを照合する。また、ステップＳ４において、主制御部１１０は、印刷処理に関する現時点の設定値を、処理指示を受けた画像データのファイル名に含まれる設定値記号に対応する設定値に設定する。
【００７６】
その後、ステップＳ５において、操作パネル１０１は、主制御部１１０が設定した設定値（処理指示を受けた画像データのファイル名に含まれる設定値記号に対応する設定値）を表示し、その設定後の設定値に基づく処理を許可するか否かをユーザーから受け付ける。すなわち、操作パネル１０１は、設定値画面Ｓ２（図７および図８参照）を表示する。
【００７７】
ステップＳ６において、主制御部１１０は、設定後の設定値（処理指示を受けた画像データのファイル名に含まれる設定値記号に対応する設定値）に基づく処理を許可する旨の受け付けが有ったか否か（設定値画面Ｓ２の「ＯＫ」キーＫ１をユーザーが押下したか否か）を判断する。そして、設定後の設定値に基づく処理を許可する旨の受け付けが有った場合には、ステップＳ７に移行し、主制御部１１０は、記憶部１１３に記憶された設定値（処理指示を受けた画像データのファイル名に含まれる設定値記号に対応する設定値）に基づき、印刷部１０９に印刷処理を行わせる。
【００７８】
その一方、ステップＳ６において、設定後の設定値（処理指示を受けた画像データのファイル名に含まれる設定値記号に対応する設定値）に基づく処理を許可する旨の受け付けがなかった場合には、ステップＳ８に移行する。ステップＳ８に移行すると、操作パネル１０１は、ユーザーによる設定値画面Ｓ２に対する入力操作に応じて設定値設定画面Ｓ３を表示し、設定値の追加設定指示をユーザーから受け付ける。すなわち、主制御部１１０は、設定後の設定値を、ユーザーから受け付けた追加設定指示に応じて再度設定する。その後、ステップＳ７に移行し、主制御部１１０は、記憶部１１３に記憶された設定値（ユーザーからの追加設定指示によって再度設定した設定値）に基づき、印刷部１０９に印刷処理を行わせる。
【００７９】
なお、ステップＳ２からステップＳ９に移行した場合には、操作パネル１０１は、設定値の設定指示をユーザーから受け付けるための設定値画面を表示し、設定値の設定指示をユーザーから受け付ける。なお、ここで操作パネル１０１が表示する設定値画面は、ステップＳ５の設定値画面Ｓ２と同様である。ただし、ステップＳ９の設定値画面には、ステップＳ５の設定値画面Ｓ２とは異なり、従前の設定値（たとえば、デフォルトの設定値）が表示される。
【００８０】
この後、ステップＳ７に移行し、主制御部１１０は、記憶部１１３に記憶された設定値に基づき、印刷部１０９に印刷処理を行わせる。すなわち、ユーザーによって設定値が設定されていれば、主制御部１１０は、ユーザーからの設定指示によって設定した設定値に基づき、印刷部１０９に印刷処理を行わせる。その一方、ユーザーによって設定値が設定されていなければ、主制御部１１０は、従前の設定値（たとえば、デフォルトの設定値）に基づき、印刷部１０９に印刷処理を行わせる。
【００８１】
なお、図１０のフローにおいて、ステップＳ５およびステップＳ６を省略しても良い。この場合には、ステップＳ４において、主制御部１１０は、印刷処理に関する現時点の設定値を、処理指示を受けた画像データのファイル名に含まれる設定値記号に対応する設定値に設定する。そして、ステップＳ７に移行し、主制御部１１０は、設定値画面Ｓ２を操作パネル１０１に表示させることなく、すなわち、設定後の設定値に基づく処理を許可するか否かを受け付けることなく（設定後の設定値を再度設定することなく）、処理指示を受けた画像データのファイル名に含まれる設定値記号に対応する設定値に基づいて、印刷部１０９に印刷処理を行わせる。
【００８２】
本実施形態では、上記のように、記憶部１１３は、画像データ（データファイル）の処理に関する設定値と設定値記号とを対応付けた設定値情報ＳＤを記憶するとともに、現時点の設定値を記憶する。また、主制御部１１０（処理部）は、処理指示を受けた画像データのファイル名に含まれる設定値記号と設定値情報ＳＤとを照合し、印刷処理に関する現時点の設定値を、処理指示を受けた画像データのファイル名に含まれる設定値記号に対応する設定値に設定するとともに、その設定後の設定値に基づいた印刷処理を印刷部１０９に行わせる。すなわち、本実施形態の画像形成装置１００（主制御部１１０）によって印刷処理される画像データは、印刷処理に関する設定値に対応付けられた設定値記号を含むファイル名を有し、印刷処理に際して、印刷処理に関する現時点の設定値を、ファイル名に含まれる設定値記号に対応する設定値に設定させ、設定後の設定値に基づいた印刷処理を画像形成装置１００（印刷部１０９）に行わせる。このため、主制御部１１０は、処理指示を受けた画像データのファイル名に設定値記号が含まれていれば、設定値を設定するための入力操作をユーザーが行っていなかったとしても、自動的に、印刷処理に関する現時点の設定値を設定値記号に対応する設定値に設定する。したがって、ユーザーからすると、自身の所望する設定値に対応付けられた設定値記号をファイル名に予め盛り込んでおくだけで（設定値を設定するための操作を行うことなく）、自身の所望する設定値で印刷処理が行われるので、利便性が良い。すなわち、本実施形態では、ユーザーの利便性を向上させる（ユーザーが行う操作を減らす）ことができる。
【００８３】
また、本実施形態では、上記のように、操作パネル１０１（操作表示部）は、設定後の設定値（処理指示を受けた画像データのファイル名に含まれる設定値記号に対応する設定値）を表示する。これにより、ユーザーからすると、設定内容を容易に確認することができるので、利便性が良い。
【００８４】
また、本実施形態では、上記のように、操作パネル１０１は、設定後の設定値（処理指示を受けた画像データのファイル名に含まれる設定値記号に対応する設定値）に基づいた印刷処理を許可するか否かを受け付け、主制御部１１０は、設定後の設定値に基づいた印刷処理を許可する旨を操作パネル１０１が受け付けた場合に、設定後の設定値に基づいた印刷処理を印刷部１０９に行わせる。すなわち、この構成では、現時点の設定値を設定値記号に対応する設定値に設定した後、その設定後の設定値に基づく印刷処理を強制的に行うわけではない。このため、ユーザーからすると、設定後の設定値に不備などがあった場合に、設定後の設定値に基づく印刷処理を止めることができるので、利便性が良い。
【００８５】
さらに、本実施形態では、操作パネル１０１は、設定後の設定値（処理指示を受けた画像データのファイル名に含まれる設定値記号に対応する設定値）の追加設定指示を受け付け、主制御部１１０は、設定後の設定値の追加設定指示を操作パネル１０１が受け付ければ、設定後の設定値を、操作パネル１０１が受け付けた追加設定指示に応じて再度設定する。これにより、設定後の設定値の追加設定を所望するユーザーからすると、利便性が良い。
【００８６】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【００８７】
たとえば、上記実施形態では、本発明をデータ処理装置の一例として画像形成装置に適用する場合について説明したが、画像形成装置以外の電子機器に本発明を適用することもできる。一例を挙げると、画像形成装置以外に、携帯音楽プレーヤーのような音楽再生装置や、表示装置（デジタルカメラ、パーソナルコンピューターおよび携帯電話などの液晶ディスプレイ）などに本発明を適用することができる。
【００８８】
本発明を音楽再生装置に適用する場合には、たとえば、音量や音質と対応付けた設定値記号をファイル名に含ませておくことが考えられる。また、本発明を表示装置に適用する場合には、たとえば、表示サイズと対応付けた設定値記号をファイル名に含ませておくことが考えられる。
【符号の説明】
【００８９】
１００  画像形成装置（データ処理装置）
１０１  操作パネル（操作表示部）
１０９  印刷部
１１０  主制御部（処理部）
１１３  記憶部
１１５  接続部
４００  外部メモリー
ＳＤ  設定値情報
【図１】
2013059969.tif 000003
【図２】
2013059969.tif 000004
【図３】
2013059969.tif 000005
【図４】
2013059969.tif 000006
【図５】
2013059969.tif 000007
【図６】
2013059969.tif 000008
【図７】
2013059969.tif 000009
【図８】
2013059969.tif 000010
【図９】
2013059969.tif 000011
【図１０】
2013059969.tif 000012